(57)【要約】【課題】斜め上方からホッパーの下方に設けられた窓部を正確に視認させられるようにした肥料散布装置を提供する。【解決手段】前面傾斜板２２ｆを有するホッパー２と、当該ホッパー２の前面傾斜板２２ｆにホッパー２内の肥料を視認させる長手状の窓部４を有してなる肥料散布装置１において、前記前面傾斜板２２ｆの左右両側に、上端側を左右外側方向にずらして全体的に傾斜させた切欠部４１を形成する。そして、この切欠部４１に、フランジ４４の中央に凸部４３を有する透明部材４２を挿入し、これによって窓部４を全体的に傾斜させた状態でその凸部４３を前面傾斜板２２ｆから突出させるようにする。【選択図】図１
2014183745.tif 000002
【特許請求の範囲】
【請求項１】
傾斜面を有するホッパーと、当該ホッパー内の被散布物を視認させる長手状の窓部を有してなる散布装置において、
前記長手状の窓部の上端側もしくは下端側を左右方向にずらして傾斜させるようにしたことを特徴とする散布装置。
【請求項２】
前記窓部が、上端側もしくは下端側を左右方向にずらして全体的に傾斜させるように切り欠いた切欠部と、当該切欠部から突出する透明部材とを備えて構成されるものである請求項１に記載の散布装置。
【請求項３】
前記透明部材が、内部に被散布物を収容させる凹部を備えてなるものである請求項２に記載の散布装置。
【請求項４】
傾斜面を有するホッパーと、当該ホッパーの傾斜面にホッパー内の収容物を視認させる長手状の窓部を有してなる散布装置において、
前記長手状の窓部を上下方向に沿って設けるとともに、
当該窓部の近傍に、当該窓部を直視した場合に比べて長手方向の寸法を長く視認させるための鏡面体を設けたことを特徴とする散布装置。
【発明の詳細な説明】
【技術分野】
【０００１】
本発明は、圃場を移動させながらホッパー内の被散布物を散布できるようにした散布装置に関するものであり、より詳しくは、ホッパー内の被散布物の残量を外部から視認しやすくした散布装置に関するものである。
【背景技術】
【０００２】
従来の一般的な肥料散布装置を図９および図１０を用いて説明する。図９の肥料散布装置は、トラクターなどの牽引車に取り付けられて使用されるものであって、比較的幅広い面積に肥料を筋状に散布できるようにするために、漸次下方に向けて前後方向の内側隙間幅を小さくした横長形状のホッパー１００と、そのホッパー１００の底面部に設けられた開閉可能な図示しない落下口などを有して構成されている。また、図１０の肥料散布装置は、トラクターなどの牽引車による取り付けられたり、自走によって圃場に肥料を散布できるようにしたものであって、漸次下方に向けて内側隙間幅を小さくした円筒状のホッパー２００と、そのホッパー２００の底面側に設けられた開閉可能な落下口２０１と、その落下口２０１の下方に設けられた拡散羽根２０２などを有して構成される。そして、このような肥料散布装置を用いて圃場に肥料を散布する場合、ホッパー１００（２００）内の肥料を圃場に散布させるとともに、ホッパー１００（２００）内の肥料が少なくなった場合は、適宜肥料を補充して肥料を圃場に散布していく。
【０００３】
ところで、このように肥料を圃場に散布させる場合、従来では、図９に示すように、ホッパー内の肥料を視認できるようにするための細長い縦長状の透明な窓部１０１を設け、その窓部１０１で残量を確認しながら肥料を散布させるようにしていた。
【先行技術文献】
【特許文献】
【０００４】
【特許文献１】特開２００８−１４８６２４号公報
【特許文献２】特開２００３−２５０３１７号公報
【発明の概要】
【発明が解決しようとする課題】
【０００５】
しかしながら、このような細長い透明な窓部を確認しながら肥料を散布させる場合、次のような問題を有する。
【０００６】
すなわち、一般的に、牽引車に肥料散布装置を取り付けて肥料を散布する場合、作業者は、図９の「座席位置からの視線」で示すように、前方の高い位置から斜め後方のホッパーの窓部を視認しなければならないが、従来のホッパーの窓部は、傾斜前面板の上下方向に沿って長手状に設けられているため、高い座席位置から視認すると、細長状の窓部を上から視認することになり、正確に残量を把握することが困難であった。
【０００７】
また、自走タイプの肥料散布装置においても、同様に、高い位置からホッパー下方の窓部を視認するため、細長状の窓部を上から視認することになり、正確に残量を把握することが困難であった。
【０００８】
そこで、本発明は上記課題に着目してなされたものであって、斜め上方からホッパーの下方に設けられた窓部を正確に視認させられるようにした散布装置を提供することを目的とする。
【課題を解決するための手段】
【０００９】
すなわち、本発明は上記課題を解決するために、傾斜面を有するホッパーと、当該ホッパー内の被散布物を視認させる長手状の窓部を有してなる散布装置において、前記長手状の窓部の上端側もしくは下端側を左右方向にずらして傾斜させるようにしたことを特徴とするものである。
【００１０】
このようにすれば、窓部を斜め上方から視認した場合に、長手寸法を長めに見せることができるため、ホッパー内の残量を正確に把握させることができるようになる。
【００１１】
また、このような窓部を設ける場合、上端側もしくは下端側を左右方向にずらして全体的に傾斜させるように切り欠いた切欠部を設け、その切欠部から透明部材を突出させるように構成する。
【００１２】
このように構成すれば、透明部材が突出しているため、斜め上方から窓部を視認した場合に、その突出する透明部材を介して残量を把握させることができる。
【００１３】
さらに、このような透明部材を設ける場合、その内部に被散布物を収容させる凹部を設けるようにする。
【００１４】
このようにすれば、透明部材内の凹部に存在する被散布物を傾斜面の上から直接視認させることができるため、正確に残量を把握させることができる。
【００１５】
また、別の発明では、傾斜面を有するホッパーと、当該ホッパーの傾斜面にホッパー内の収容物を視認させる長手状の窓部を有してなる散布装置において、前記長手状の窓部を上下方向に沿って設けるとともに、当該窓部の近傍に、当該窓部を斜め上方から直視した場合に比べて長手方向の寸法を長く視認させるための鏡面体を設けるようにすることもできる。
【００１６】
このようにすれば、従来の上下方向に窓部を設けている散布装置において鏡面体を設けるだけで、斜め上方からの視認性を向上させることができるようになる。
【発明の効果】
【００１７】
本発明によれば、傾斜面を有するホッパーと、当該ホッパー内の被散布物を視認させる長手状の窓部を有してなる散布装置において、前記長手状の窓部の上端側もしくは下端側を左右方向にずらして傾斜させるようにしたので、窓部を斜め上方から視認した場合に、長手寸法を長めに見せることができ、ホッパー内の残量を正確に把握させることができるようになる。
【図面の簡単な説明】
【００１８】
【図１】本発明の一実施の形態における肥料散布装置の概略斜視図
【図２】同形態における肥料散布装置の側面概略図
【図３】同形態における肥料散布装置の正面概略図
【図４】同形態における肥料散布装置の平面概略図
【図５】同形態における窓部を座席位置から見た場合の長手寸法を示す図
【図６】同形態における透明部材を示す図
【図７】同形態における窓部を上下方向に設けた場合と傾斜させた場合の比較図
【図８】本発明の他の実施の形態におけるホッパーの窓部に鏡面体を取り付けた図
【図９】従来例における肥料散布装置
【図１０】従来例における肥料散布装置
【発明を実施するための形態】
【００１９】
以下、本発明の一実施の形態における肥料散布装置１について図面を参照しながら説明する。
【００２０】
この実施の形態における肥料散布装置１は、トラクターなどの牽引車に取り付けられて使用されるものであって、図１から図４に示すように、被散布物である肥料を収容するホッパー２と、そのホッパー２内に収容された肥料を攪拌させるアジテーター３と（図２および図４参照）、ホッパー２の底板２３に設けられた肥料落下用の開口部２３ａを覆うシャッター２５（図４参照）などを備えて構成されている。そして、特徴的には、そのホッパー２におけるテーパー状の前面傾斜板２２ｆに、正面から見た場合（以下、「正面視」という）において斜め方向となる縦長状の窓部４を設け、これによって、トラクターの座席位置から窓部４を視認した際に、その窓部４を長めに視認させるようにしたものである。以下、本実施の形態における肥料散布装置１について詳細に説明する。なお、説明の関係上、トラクターの進行方向を前方とし、その逆方向を後方、また、トラクターの幅方向を左右方向として説明する。
【００２１】
この肥料散布装置１のホッパー２は、図１に示すように、左右幅広に構成されるものであって、上部前面板２１ｆおよび上部後面板２１ｂと、その下方に、漸次下方に向けて内側の隙間幅を小さくした前面傾斜板２２ｆおよび後面傾斜板２２ｂと、その前面傾斜板２２ｆや後面傾斜板２２ｂの下端側に設けられる底板２３（図４参照）や左右両側の側板２４などを設け、これらの壁面で囲まれた空間内に肥料を収容できるようにしている。
【００２２】
また、アジテーター３は、図４に示すように、ホッパー２に収容された肥料を攪拌させて、底板２３の開口部２３ａから肥料を落下させられるようにしたものであって、ホッパー２の略中央位置に設けられたミッション３３を介して左右方向に回転軸３１を回転させ、この回転軸３１に間欠的に取り付けられた攪拌翼３２を回転させるようになっている。
【００２３】
一方、ホッパー２の底板２３に設けられる開口部２３ａは、一定間隔毎に複数設けられるものであって、矩形状の開口部を有するシャッター２５をスライドさせることによって開口幅を調整して肥料の落下量を調整できるようになっている。なお、このシャッター２５は、油圧によって左右方向にスライドさせて開口幅を調整できるようになっている。
【００２４】
このような構成において、窓部４はホッパー２の前面傾斜板２２ｆの左右両側近傍における前面側に設けられる。この窓部４は、金属板である前面傾斜板２２ｆを長手状に切り欠いた切欠部４１を設けて構成されており、正面視において上端部が外側、下端部が内側となるように傾斜させている。また、この窓部４には、その切欠部４１から前方側に突出する凸部４３を備えた透明部材４２が取り付けられており、前面傾斜板２２ｆの斜め上方から視認しやすいようにしている。この透明部材４２は、透明なアクリル板などによって構成されており、図６に示すように、切欠部４１の形状に対応した細い長手形状をなす凸部４３の周囲にフランジ４４を設けて、図４に示すように、ホッパー２の内側にそのフランジ４４を密着させて凸部４３を切欠部４１から突出させるようになっている。なお、この凸部４３の内側には、肥料を前面傾斜板２２ｆの上から見えるようにするための凹部４５が設けられており、これによって、前面傾斜板２２ｆから突出した位置で肥料を視認させやすくしている。ところで、このように透明部材４２の凹部４５に肥料を位置させる場合、ホッパー２内の肥料が少なくなると、実際にホッパー２内に肥料が少なくなったにもかかわらず、凹部４５に肥料が溜まってしまい、見かけ上、肥料が残っているかのように見えてしまう可能性がある。このため、ホッパー２内の肥料が減ってきた場合に、透明部材４２の凹部４５に肥料が滑らかに滑り落とせるように、下端側を切欠部４１の縁側に滑らかに湾曲させた湾曲部４６を設けるようにしている。これにより、肥料が減少してきた場合であっても、その湾曲部４６に沿って肥料を滑らかに落下させ、凹部４５に肥料が留まってしまわないようにしている。
【００２５】
また、このように構成された窓部４の傾斜角度としては、トラクターの座席位置から視認した場合に、長手方向の寸法が可能な限り長くなるような寸法であって、しかも、ホッパー２内の肥料の減り具合を把握できるような角度に設定される。実際には、前面傾斜板２２ｆの角度や座席位置との関係などによって決定されるが、例えば、正面視の鉛直方向から左右に約３０度〜６０度の角度θに設定される。しかしながら、このような傾斜角度θを大きくし過ぎると、肥料の減り具合を正確に把握することができなくなってしまうため、好ましくは、正面視において３５度〜４５度の範囲内に設定しておくとよい。
【００２６】
次に、仮にこのような窓部４を、前面傾斜板２２ｆの上下方向に沿って設けた場合の座席位置からの視認状態を図７（ａ）に示す。通常、座席位置はホッパー２の斜め上方に位置しており、しかも、前面傾斜板２２ｆは、下端側が後方に向かって傾斜しているため、座席位置から視認すると、長手状の窓部４を上から視認する状態となってしまい、長手寸法が短く見えて、肥料の減り具合を正確に把握することが困難になる。しかも、前面傾斜板２２ｆが、後方に向かって傾斜するようになっているため、前面傾斜板２２ｆを切り欠いた切欠部４１の内側を視認することが困難になる。これに対して、図７（ｂ）に示すように、窓部４を上端側が外側となるように傾斜させると、座席位置からその窓部４を視認させた場合に、長手寸法を長め見ることができるようになるとともに、その切欠部４１から透明部材４２の凸部４３を突出させ、その透明部材４２の内側における凹部４５の肥料を視認させるようにすることで、斜め上方からでも肥料の減り具合を正確に把握させることができるようになる。
【００２７】
このように上記実施の形態によれば、前面傾斜板２２ｆを有するホッパー２と、当該ホッパー２の前面傾斜板２２ｆにホッパー２内の肥料を視認させる長手状の窓部４を有してなる肥料散布装置１において、前記前面傾斜板２２ｆに、上端側を左右外側方向にずらして全体的に傾斜させるようにした窓部４を設けるようにしたので、斜め上方から視認した場合に窓部４を長めに見せることができ、ホッパー２内の残量を正確に把握させることができるようになる。
【００２８】
また、このような窓部４を設ける場合、その切欠部４１から透明部材４２の凸部４３を突出させるようにしたので、斜め上方から窓部４を視認した場合に、その突出する透明部材４２を介して残量を正確に把握させることができるようになる。
【００２９】
さらに、このような透明部材４２を設ける場合、その内部に肥料を収容させる凹部４５を備えるようにしたので、透明部材４２内の凹部４５に存在する被散布物を直接視認させることができ、正確に残量を把握させることができる。
【００３０】
＜第二の実施の形態＞
次に、本発明の第二の実施の形態について、図８を用いて説明する。上記第一の実施の形態では、前面傾斜板２２ｆに長手状の窓部４を左右方向に傾斜させて設けるようにしたが、この第二の実施の形態における窓部４を、上下方向に設けるようにしたものである。なお、本実施の形態において、特に説明する場合を除いて、上記実施の形態と同じ構造を有するものとして説明を省略する。
【００３１】
この実施の形態における窓部４は、従来の窓部４と同様に、前面傾斜板２２ｆの左右両側近傍に上下方向に沿って設けられる。そして、その窓部４を構成する切欠部４１に透明なガラスやアクリル板などを取り付けて、外側から肥料の減り具合を視認できるようにしている。
【００３２】
このような構成において、トラクターの座席位置からその窓部４を視認すると、窓部４の長手方向の寸法（＝ａ）が短く見えてしまい、しかも、切欠部の開口部分をほとんど見ることができなくなってしまう。そこで、図８に示すように、この窓部４の下方に、斜め上方の視認位置から窓部４を長めに視認しやすくするための鏡面体５を取り付けるようにする。このようにすることで、図８（ａ）に示すように、その鏡面体５に窓部４を反射させて、長手寸法を長め（＝ａ’）に見えるようにすることができる。このような鏡面体５を取り付ける場合、フラット形状を有する鏡面体５を取り付けて肥料の状態を座席位置側に反射させるようにしてもよく、あるいは、湾曲形状に構成して窓部４全体を拡大させて座席位置側に反射させるようにしてもよい。また、このように鏡面体５を取り付けると、鏡面体５と前面傾斜板２２ｆとによって太陽光が遮られてしまい、暗くなって窓部４を視認しにくくなる可能性があるため、光源を取り付けて窓部４の状態を視認させるようにしてもよい。ただし、このような光源を取り付ける場合は、光源からの光が鏡面体５に反射して直接作業者に入射しないような位置に取り付けるようにしておくのが好ましい。
【００３３】
このようにすれば、従来の上下方向に窓部４を設けている肥料散布装置１についても、鏡面体５を取り付けるだけで、斜め上方からの視認性を向上させることができるようになるというメリットがある。
【００３４】
なお、本発明は上記実施の形態に限定されることなく、種々の態様で実施することができる。
【００３５】
例えば、上記実施の形態では、幅広状のホッパー２を有する肥料散布装置１について説明したが、図１０に示すような、円筒状のホッパー２を有する肥料散布装置１にも適用することもできる。
【００３６】
また、ホッパー２内に収容される被散布物についても、化成肥料や有機肥料などの固形肥料だけでなく、液体肥料などについても適用することができる。また、肥料に限らず種子などを散布する場合についても適用することができる。
【００３７】
さらに、上記実施の形態では、窓部４に透明部材４２を取り付けるようにしているが、透明部材４２を取り付けなくても窓部４を視認することができる場合は、窓部４にフラットなガラスやアクリル板などを取り付けるようにしてもよい。
【００３８】
また、上記第二の実施の形態では、窓部４を上下方向に設けるようにしているが、第一の実施の形態のように傾斜させて設けるようにしておき、これに鏡面体５を取り付けるようにしたもよい。
【符号の説明】
【００３９】
１・・・肥料散布装置
２・・・ホッパー
２１ｆ・・・上部前面板
２１ｂ・・・上部後面板
２２ｆ・・・前面傾斜板
２２ｂ・・・後面傾斜板
２３・・・底板
２４・・・側板
２３ａ・・・開口部
２５・・・シャッター
３・・・アジテーター
３１・・・回転軸
３２・・・攪拌翼
３３・・・ミッション
４・・・窓部
４１・・・切欠部
４２・・・透明部材
４３・・・凸部
４４・・・フランジ
４５・・・凹部
４６・・・湾曲部
５・・・鏡面体
【図１】
2014183745.tif 000003
【図２】
2014183745.tif 000004
【図３】
2014183745.tif 000005
【図４】
2014183745.tif 000006
【図５】
2014183745.tif 000007
【図６】
2014183745.tif 000008
【図７】
2014183745.tif 000009
【図８】
2014183745.tif 000010
【図９】
2014183745.tif 000011
【図１０】
2014183745.tif 000012